(57)【特許請求の範囲】
【請求項１】
ガスこんろ本体の上面にトッププレートを被着すると共にトッププレートに設けた窓穴にガスこんろ本体のこんろ用バーナを挿通し、こんろ用バーナと上記窓穴との間にこれらの間を塞ぐ円環状のバーナリングを配置し、五徳枠に複数個の五徳爪を装着して形成した五徳をバーナリングに沿ってトッププレートの上に配置し、バーナリングの上面に五徳爪を設けるピッチで周方向に複数の係止凹部を形成すると共に五徳爪の下部の内周側の係止部を係止凹部に挿入して係止して五徳を設置したガスこんろにおいて、五徳爪の上端と上端が略面一で五徳爪より内周側への突出長さの短い補助爪を五徳の周方向の一部で五徳爪間に配置して補助爪を五徳枠に装着し、補助爪がある部分がガスこんろ本体の前面側に向く所定の位置に五徳を配置した状態のときのみ複数の各五徳爪の係止部が各係止凹部に挿入されて係止するようにしたことを特徴とするガスこんろ。
【請求項２】
バーナリングに設ける複数の係止凹部のうち少なくとも１つの係止凹部を内周側を閉塞した閉塞係止凹部とすると共に残りの係止凹部を内外に貫通する開放係止凹部とし、五徳の複数の五徳爪の係止部のうち閉塞係止凹部に対応する係止部を閉塞係止凹部に挿入し得る長さの短い短係止部とすると共に残りの係止部を開放係止凹部に挿入し得るが閉塞係止凹部に挿入できない長さの長い長係止部とし、補助爪がある部分がガスこんろ本体の前面側に向く所定の位置に五徳を配置した状態のときのみ短係止部が閉塞係止凹部に挿入されて係止されると共に長係止部が開放係止凹部に挿入されて係止されるようにしたことを特徴とする請求項１記載のガスこんろ。
【請求項３】
ガスコンロ本体の前面側に位置する１つの係止凹部を閉塞係止凹部とし、五徳の補助爪がある側の係止部を短係止部とし、閉塞係止凹部に短係止部を挿入して係止したことを特徴とする請求項２記載のガスこんろ。
【発明の詳細な説明】
【０００１】
【発明の属する技術分野】
本発明は、ガスこんろの五徳部分の構造に関するものである。
【０００２】
【従来の技術】
ガスこんろにおいて五徳はこんろ用バーナの上にあり、鍋などの調理用具を安定して支える重要な役割を持っている。この五徳１は例えば、図９に示すように円環状の五徳枠２に複数の五徳爪３を等間隔に配置し、溶接等で固着することで一体に組み立ててある。ガスこんろ本体の上面にはトッププレートを被着してあり、トッププレートに設けた窓穴にこんろ用バーナを挿通してあり、こんろ用バーナと窓穴との間にこれらの間を塞ぐ円環状のバーナリング４を装着してある。そして上記五徳１はバーナリング４に沿ってトッププレートの上に配置してあり、五徳１がバーナリング４に対して位置決めしてある。バーナリング４に五徳爪３の間隔に合わせて係止凹部５を等間隔に設けてあり、五徳１の五徳爪３の下部の内周側の端部には係止部６を設けてあり、係止部６を係止凹部５に挿入して係止することで五徳１をバーナリング４に対して位置決めしてある。
【０００３】
【発明が解決しようとする課題】
ところで上記従来例では、五徳１に５個の五徳爪３を等間隔に設けてあり、五徳爪３の上に鍋などの調理用具の底面を載置して煮炊き等ができるようになっているが、５個の五徳爪３で鍋などの調理用具を支えているだけでは鍋などの調理用具の位置がずれた場合に安定よく支えているとは言えず、鍋等の調理用具が五徳１上から脱落して内容物がこぼれるおそれがある。特に鍋等の調理用具が使用者のいるガスこんろ本体の前面側に脱落した場合、内容物が使用者の方にこぼれ、火傷等の虞もある。
【０００４】
このような問題を生じないように五徳１の上に安定よく鍋などの調理用具を載せるためには五徳爪３の個数を増やせばよいのであるが、五徳爪３の個数を増やせばこんろ用バーナの燃焼不良という新たな問題を生じると共にコストアップになるという問題を生じる。
【０００５】
本発明は上記の点に鑑みてなされたものであり、こんろ用バーナの燃焼不良やコストアップを生じすることなく鍋などの調理用具を五徳に安定よく支えることができるガスこんろを提供することを課題とするものである。
【０００６】
【課題を解決するための手段】
上記課題を解決するための本発明のガスこんろは、ガスこんろ本体７の上面にトッププレート８を被着すると共にトッププレート８に設けた窓穴９にガスこんろ本体７のこんろ用バーナ１０を挿通し、こんろ用バーナ１０と上記窓穴９との間にこれらの間を塞ぐ円環状のバーナリング４を配置し、五徳枠２に複数個の五徳爪３を装着して形成した五徳１をバーナリング４に沿ってトッププレート８の上に配置し、バーナリング４の上面に五徳爪３を設けるピッチで周方向に複数の係止凹部５を形成すると共に五徳爪３の下部の内周側の係止部６を係止凹部５に挿入して係止して五徳１を設置したガスこんろにおいて、五徳爪３の上端と上端が略面一で五徳爪３より内周側への突出長さの短い補助爪１１を五徳１の周方向の一部で五徳爪３間に配置して補助爪１１を五徳枠２に装着し、補助爪１１がある部分がガスこんろ本体７の前面側に向く所定の位置に五徳１を配置した状態のときのみ複数の各五徳爪３の係止部６が各係止凹部５に挿入されて係止するようにしたことを特徴とする。
【０００７】
上記のように五徳１に五徳爪３以外に五徳爪３の上端と上端が面一で内周方向への突出長さの短い補助爪１１を設けたことにより、こんろ用バーナ１０の燃焼を阻害することなく安定よく鍋などの調理用具を支えることができ、鍋など調理用具の脱落を防止して安全に使用できる。しかも五徳１の全周のうちガスこんろ本体７の前面側と対応する一部にのみ補助爪１１を設けたことにより、鍋などの調理用具の使用者側への脱落を防止しながら補助爪１１を必要最小限の位置に設けて燃焼の阻害を抑えることができると共にコストアップを抑えることができる。さらに補助爪１１がある部分がガスこんろ本体７の前面側に向く所定の位置に五徳１を配置した状態のときのみ複数の各五徳爪３の係止部６が各係止凹部５に挿入されて係止するようにしたことにより、五徳１を設置するとき五徳１の補助爪１１がある側を前面側に位置させなければ係止部６を係止凹部５に挿入して水平に設置できず、補助爪１１の向きが間違っているとき使用者が誤セットを気づき易くでき、五徳１を所定の向きに正確に設置できて常に正常に使用できる。
【０００８】
またバーナリング４に設ける複数の係止凹部５のうち少なくとも１つの係止凹部５を内周側を閉塞した閉塞係止凹部５ａとすると共に残りの係止凹部５を内外に貫通する開放係止凹部５ｂとし、五徳１の複数の五徳爪３の係止部６のうち閉塞係止凹部５ａに対応する係止部６を閉塞係止凹部５ａに挿入し得る長さの短い短係止部６ａとすると共に残りの係止部６を開放係止凹部５ｂに挿入し得るが閉塞係止凹部５ａに挿入できない長さの長い長係止部６ｂとし、補助爪１１がある部分がガスこんろ本体７の前面側に向く所定の位置に五徳１を配置した状態のときのみ短係止部６ａが閉塞係止凹部５ａに挿入されて係止されると共に長係止部６ｂが開放係止凹部５ｂに挿入されて係止されるようにしたことを特徴とすることも好ましい。
【０００９】
上記のように構成したことにより、五徳１の補助爪１１が前面側を向く正規の状態で五徳１を設置したとき水平に設置されるが、それ以外の状態では五徳１が水平に対して傾いて設置されて誤セットに使用者が気付きやすく、誤セットを確実に防止できる。また適宜係止凹部５の内周側を閉塞して閉塞係止凹部５ａを形成し、適宜の五徳爪３の係止部６に長さの短い短係止部５ａを形成するだけの簡単な構造で五徳１の誤セットを簡単且つ確実に防止できる。
【００１０】
またガスこんろ本体７の前面側に位置する１つの係止凹部５を閉塞係止凹部５ａとし、五徳１の補助爪１１がある側の係止部６を短係止部６ａとし、閉塞係止凹部５ａに短係止部６ａを挿入して係止したことを特徴とすることも好ましい。
【００１１】
上記のように五徳１の補助爪１１のある側に位置する短係止部６ａとバーナリング４の使用者側に位置する閉塞係止凹部５ａの位置とを使用者側の位置で容易に合わせて五徳１を正規の状態に設置でき、五徳１の正確な設置が容易にできる。
【００１２】
【発明の実施の形態】
台所のカウンター２０にビルトインして取り付けられるガスこんろ本体７の上には略矩形状のトッププレート８が図６、図７、図８に示すように載設されるが、本例の場合、トッププレート８はガラス製であり、ガラス製の本体板８ａと周縁に装着した金属製や樹脂製の周枠８ｂとで構成されている。トッププレート８の本体板８ａには円形の窓穴９を複数個穿孔してあり、各窓穴９からこんろ用バーナ１０を突出させてある。
【００１３】
トッププレート８の窓穴９縁とこんろ用バーナ１０との間には円環状のバーナリング４が介装されるが、このバーナリング４は図４、図５に示すように形成されている。円環状のバーナリング４の円筒状の筒部１２の上部の内周側には全周に亙って内周に突出する内鍔部１３を設けてあり、筒部１２の上部の外周側には全周に亙って外周に突出する外鍔部１４を設けてある。バーナリング４の外鍔部１４の上面には複数個の係止凹部５を周方向に等間隔に設けてある。本例の場合、間隔を隔てた一対の突片１５を上方に突設することで一対の突片１５間に係止凹部５を形成してある。本例の場合、後述する五徳１の五徳爪３の間隔に合わせて５個の係止凹部５を設けてある。上記のように一対の突片１５を上方に突設することにより突片１５の間に係止凹部５が形成されるが、この複数の係止凹部５のうち１つの係止凹部５では上記突片１５以外に内周側に位置する閉塞片１６を突設してあり、一対の突片１５と閉塞片１６とで内周側を閉塞した閉塞係止凹部５ａを形成してある。この閉塞係止凹部５ａとした係止凹部５以外の係止凹部５は一対の突片１５だけで構成されて内周側が開放した開放係止凹部５ｂとしてある。
【００１４】
トッププレート８にバーナリング４を取り付ける場合、トッププレート８の上面上にバーナリング４を配置し、バーナリング４の筒部１２を窓穴９に挿通すると共に外鍔部１４を窓穴９縁の上面に載置し、トッププレート８に対してバーナリング４を固定してある。このときバーナリング４が周方向に回転しないように取り付けてある。バーナリング４を取り付けたトッププレート８はガスこんろ本体７の上から被着され、バーナリング４からガスこんろ本体７のこんろ用バーナ１０が露出させられる。このとき、こんろ用バーナ１０の周縁の段部１７上にバーナリング４の内鍔部１３が載置される。上記ようにバーナリング４がトッププレート８に取り付けられるが、複数の係止凹部５のうち閉塞係止凹部５ａが使用者が立つ側であるガスこんろ本体７の前面側に位置するようにバーナリング４が固定される。
【００１５】
五徳１は図２に示すように円環状の五徳枠２の周方向に複数の五徳爪３を等間隔に配置し、五徳枠２に五徳爪３を溶接にて固着することにより形成してある。五徳爪３は本例の場合５個装着してある。この五徳爪３の上端は鍋などの調理用具の底面を載置する載置面となっているが、五徳爪３の下部の内周側の端部は係止凹部５に挿入して係止する係止部６となっている。五徳爪３には図３（ａ）に示すように係止部６の内周側への突出長さが短い短係止部６ａとなった五徳爪３ａと、図３（ｂ）に示すように係止部６の内周側への突出長さの長い長係止部６ｂとなった五徳爪３ｂとがある。そして短係止部６ａを有する五徳爪３ａは上記５個の五徳爪３のうち１箇所に用いてあり、長係止部６ｂを有する五徳爪３ｂは残りの五徳爪３に用いてある。上記五徳爪３ａの短係止部６ａは閉塞係止凹部５ａに挿入して係止できるようになっており、また五徳爪３ｂの長係止部６ｂは開放係止凹部５ｂには挿入して係止できるが閉塞係止凹部５ａに対しては閉塞片１６に当るために挿入して係止できないようになっている。これにより短係止部６ａと閉塞係止凹部５ａとが対応し、長係止部６ｂと開放係止凹部５ｂとが対応する状態でしか短係止部６ａや長係止部６ｂが閉塞係止凹部５ａや開放係止凹部５ｂに挿入して係止できない。本例の場合、短係止部６ａを有する五徳爪３ａと長係止部６ｂを有する五徳爪３ｂを別々に形成して五徳枠２に溶接にて固着する例について述べたが、同じ五徳爪３を用い、短係止部６ａを設ける五徳爪３だけを五徳枠２の外周側に位置をずらせて溶接しても同様に短係止部６ａを形成することができる。
【００１６】
上記のように短係止部６ａを有する五徳爪３ａを設けた側には上面が五徳爪３と略面一であるが、内周に突出する長さが短い補助爪１１を配置してあり、補助爪１１を五徳枠２に溶接にて固着してある。この補助爪１１は本例の場合、五徳爪３ａの両側で夫々五徳爪３ａと五徳爪３ｂとの間に位置するように固着してある。
【００１７】
五徳１をセットする場合、五徳１がバーナリング４に沿うようにトッププレート８の上に載置されるが、使用者が立つ側であるガスこんろ本体７の前面側に補助爪１１が向くように五徳１を向けて設置される。このように五徳１を向けて設置することにより短係止部６ａと閉塞係止凹部５ａとが対応すると共に長係止部６ｂと開放係止凹部５ｂとが対応し、短係止部６ａが閉塞係止凹部５ａに挿入されて係止されると共に長係止部６ａが開放係止凹部５ｂに対応して五徳１が水平になるように五徳１が正規の状態に設置される。このとき、補助爪１１を前面側に以外の向きに向けて設置しようとすると、閉塞係止凹部５ａに長係止部６ｂが対応して長係止部６ｂが閉塞係止凹部５ａに挿入されなく、五徳１が傾いた状態でしかセットされなくて誤セットに気付き、正規の状態にセットするように促すことができる。これにより五徳１を掃除のために取り外したりしても補助爪１１が前面側に位置する正規の状態にセットすることができる。
【００１８】
また五徳１をセットするとき、１つの前面側に位置する閉塞係止凹部５ａと、補助爪１１の側にある１つの短係止部６ａとを対応させ、この状態で短係止部６ａを閉塞係止凹部５ａに挿入すると共に長係止部６ｂを開放係止凹部５ｂに挿入して係止することができるため、五徳１を所定の位置に向けて設置する操作が容易にできる。ガスこんろを使用するとき、五徳１の上に鍋などの調理用具を載せて調理をするのであるが、このとき、五徳１の前面側に補助爪１１があるために鍋などの調理用具が使用者の方にずれても補助爪１１にて鍋などの調理用具が脱落したりするおそれがなく、鍋などの調理用具から内容物がこぼれて使用者が火傷したりするおそれがない。また補助爪１１は最も必要な前面側にだけ設けられているためにこんろ用バーナ１０の燃焼を阻害したり、コストアップになったりするのをなくすことができる。
【００１９】
【発明の効果】
本発明の請求項１の発明は、叙述のように五徳に五徳爪以外に五徳爪の上端と上端が面一で内周方向への突出長さの短い補助爪を設けたので、こんろ用バーナの燃焼を阻害することなく安定よく鍋などの調理用具を支えることができ、鍋など調理用具の脱落を防止して安全に使用できるものであり、しかも五徳の全周のうちガスこんろ本体の前面側と対応する一部のみに補助爪を設けたので、鍋などの調理用具の使用者側への脱落を防止しながら補助爪を必要最小限の位置に設けて燃焼の阻害を抑えることができると共にコストアップを抑えることができるものであり、さらに補助爪がある部分がガスこんろ本体の前面側に向く所定の位置に五徳を配置した状態のときのみ複数の各五徳爪の係止部が各係止凹部に挿入されて係止するようにしたので、五徳を設置するとき五徳の補助爪がある側を前面側に位置させなければ係止部を係止凹部に挿入して水平に設置できず、補助爪の向きが間違っているとき使用者が誤セットを気づき易くでき、五徳を所定の向きに正確に設置できて常に正常に使用できるものである。
【００２０】
また本発明の請求項２の発明は、請求項１において、バーナリングに設ける複数の係止凹部のうち少なくとも１つの係止凹部を内周側を閉塞した閉塞係止凹部とすると共に残りの係止凹部を内外に貫通する開放係止凹部とし、五徳の複数の五徳爪の係止部のうち閉塞係止凹部に対応する係止部を閉塞係止凹部に挿入し得る長さの短い短係止部とすると共に残りの係止部を開放係止凹部に挿入し得るが閉塞係止凹部に挿入できない長さの長い長係止部とし、補助爪がある部分がガスこんろ本体の前面側に向く所定の位置に五徳を配置した状態のときのみ短係止部が閉塞係止凹部に挿入されて係止されると共に長係止部が開放係止凹部に挿入されて係止されるようにしたので、五徳の補助爪が前面側を向く正規の状態で五徳を設置したとき水平に設置されるが、それ以外の状態では五徳が水平に対して傾いて設置されて誤セットに使用者が気付きやすく、誤セットを確実に防止できるものであり、しかも適宜係止凹部の内周側を閉塞して閉塞係止凹部を形成し、適宜の五徳爪の係止部に長さの短い短係止部を形成するだけの簡単な構造で五徳の誤セットを簡単且つ確実に防止できるものである。
【００２１】
また本発明の請求項３の発明は、請求項１または請求項２において、ガスこんろ本体の前面側に位置する１つの係止凹部を閉塞係止凹部とし、五徳の補助爪がある側の係止部を短係止部とし、閉塞係止凹部に短係止部を挿入して係止したので、五徳の補助爪のある側に位置する短係止部とバーナリングの使用者側に位置する閉塞係止凹部の位置とを使用者側の位置で容易に合わせて五徳を正規の状態に設置でき、五徳の正確な設置が容易にできるものである。
【図面の簡単な説明】
【図１】本発明の実施の形態の一例のガスこんろの五徳とバーナリングを示す斜視図である。
【図２】同上の五徳を示す斜視図である。
【図３】（ａ）（ｂ）は同上の五徳爪を示す正面図である。
【図４】同上のバーナリングを示す斜視図である。
【図５】同上のバーナリングを示し、（ａ）は平面図、（ｂ）は正面図である。
【図６】同上のガスこんろを設置した状態の側面から見た断面図である。
【図７】同上のガスこんろの平面図である。
【図８】同上のガスこんろのこんろ用バーナの部分の正面から見た断面図である。
【図９】従来例のガスこんろの五徳とバーナリングを示す斜視図である。
【符号の説明】
１  五徳
２  五徳枠
３  五徳爪
４  バーナリング
５  係止凹部
５ａ  閉塞係止凹部
５ｂ  開放係止凹部
６  係止部
６ａ  短係止部
６ｂ  長係止部
７  ガスこんろ本体
８  トッププレート
９  窓穴
１０  こんろ用バーナ
１１  補助爪
【図１】
0003936606.tif 000002
【図２】
0003936606.tif 000003
【図３】
0003936606.tif 000004
【図４】
0003936606.tif 000005
【図５】
0003936606.tif 000006
【図６】
0003936606.tif 000007
【図７】
0003936606.tif 000008
【図８】
0003936606.tif 000009
【図９】
0003936606.tif 000010